(57)【特許請求の範囲】
【請求項１】
機器を固定するために前記機器の一部に組み込まれる多重雌ねじの締結具であって、  前記機器に固定するアタッチメント部を備えた本体と、  主雌ねじ部が形成され、前記本体に固定された状態で前記本体により前記機器に固定されるホルダーと、  前記主雌ねじ部よりもねじ径の小さな補完雌ねじ部を前記ホルダーの前記主雌ねじ部内に配置するように前記本体に収納され、前記主雌ねじ部の軸方向に摺動可能とされるスライドホルダーと、  前記本体に収納されて前記スライドホルダーを前方に付勢する弾性体と、  前記本体に固定されて前記主雌ねじ部の軸方向を中心とする前記スライドホルダーの回転を阻止するホルダー規制部と、を備え、  前記主雌ねじ部に対して、雄ねじが螺合されたとき、前記主雌ねじ部に挿入される前記雄ねじにより、前記スライドホルダーが前記弾性体の弾性力に抗して後退することを特徴とする締結具。
【請求項２】
前記アタッチメント部は、雄ねじが周囲に形成さて前記機器に前記本体をねじ込み固定可能としていることを特徴とする請求項１に記載の締結具。
【請求項３】
前記本体は、円柱形状にして外周面にローレットを備えることを特徴とする請求項１又は請求項２に記載の締結具。
【請求項４】
前記本体は、前方面の中央に前記ホルダーを、後方面の中央に前記ホルダー規制部を有し、前記ホルダーと前記ホルダー規制部との間に記スライドホルダーと前記弾性体とを夫々中心軸線を一致させて前記本体に収納していることを特徴とする請求項１乃至請求項３の何れかに記載の締結具。
【請求項５】
前記ホルダーの前方面が前記本体の前方面と同一平面であることを特徴とする請求項１乃至請求項４の何れかに記載の締結具。
【請求項６】
前記主雌ねじ部の前端開口面と、前記補完雌ねじ部の前端開口面と、が同一平面に位置して前記雄ねじの螺入により前記スライドホルダーが後退することを特徴とする請求項１乃至請求項５の何れかに記載の締結具。
【請求項７】
前記補完雌ねじ部よりもねじ径の小さな第二補完雌ねじ部を前記補完雌ねじ部内に配置するように前記スライドホルダーに組み込まれ、前記主雌ねじ部の軸方向に摺動可能とされる第二スライドホルダーと、前記第二スライドホルダーを前方に付勢する第二弾性体と、を備えることを特徴とする請求項１乃至請求項６の何れかに記載の締結具。
【請求項８】
前記雄ねじが三脚等の固定台に取り付けられているねじであることを特徴とする請求項１乃至請求項７の何れかに記載の締結具。
【請求項９】
前記機器が望遠鏡や双眼鏡、カメラ等の光学機器であることを特徴とする請求項８に記載の締結具。 
【発明の詳細な説明】
【技術分野】
【０００１】
本発明は、機器を固定するに際し、雄ねじと結合する雌ネジを備える締結具に関するものである。
【背景技術】
【０００２】
従来から、天体望遠鏡、大型双眼鏡、又は一眼レフカメラなどといった所定の倍率を有する光学機器を用いて、天体、地形を眺めたり撮影したりするなど、種々の対象物を観望、撮影して楽しむことが行われている。
【０００３】
そして、望遠鏡、双眼鏡、又は一眼レフカメラ等の光学機器は、しばしば、三脚の雲台等に配置固定させ、三脚ねじに結合して使用される。そのため、これら光学機器自体または機器結合用の架台には、三脚ねじ孔とされる、所定の規格に合わせた１／４インチ雌ねじ、または大型装置であれば３／８インチ雌ねじが形成されている。そして、三脚の雲台には、カメラ取付ねじである三脚ねじとされる、通常であれば規格に合わせた１／４インチ雄ねじ、または大型三脚であれば３／８インチ雄ねじ等が設置されている。この雄ねじを光学機器の雌ねじ、又は、機器結合用の架台の雌ねじに螺合させて締め付けることによって、光学機器を雲台に固定できるようにしているものである。
【０００４】
ただし、ねじのサイズが複数種類あることから、所有している光学機器と三脚によってはサイズ違いにより結合できず、三脚ねじを細径化又は太径化させるためのねじ変換アダプター等を介して結合させる場合があった。
【０００５】
なお、これらの規格により定められる雄ねじは、通常、径サイズと合わせてねじ長さなども規定されていることが多い。
【０００６】
また、下記に示す特許文献１には、ボルト（ねじ）の軸部を細径加工する必要がない上に、双方の部材間に大きいスペースを要しない締結具が開示されている。
【先行技術文献】
【特許文献】
【０００７】
【特許文献１】特開２００８―２５６０５８号公報
【発明の概要】
【発明が解決しようとする課題】
【０００８】
しかしながら、上述の特許文献１の締結具やねじ変換アダプターは、ねじの軸部を細径化、又は太径化して変換させる機能を有するが、一旦結合させると簡単には取り外しが出来るものではなく、各装置を収納する毎に締結具の取り外しを必要とする装置においては、最適な締結具とは言えなかった。
【０００９】
本発明は、異なるサイズの雄ねじを利用可能とし、機器に設けた雌ねじと他の機器や部材とを雄ねじにより簡単に結合させることができる多重雌ねじ構造の締結具を提供することを目的とする。
【課題を解決するための手段】
【００１０】
本発明の締結具は、機器を固定するために前記機器の一部に組み込まれる多重雌ねじの締結具であって、前記機器に固定するアタッチメント部を備えた本体と、主雌ねじ部が形成され、前記本体に固定された状態で前記本体により前記機器に固定されるホルダーと、前記主雌ねじ部よりもねじ径の小さな補完雌ねじ部を前記ホルダーの前記主雌ねじ部内に配置するように前記本体に収納され、前記主雌ねじ部の軸方向に摺動可能とされるスライドホルダーと、前記本体に収納されて前記スライドホルダーを前方に付勢する弾性体と、前記本体に固定されて前記主雌ねじ部の軸方向を中心とする前記スライドホルダーの回転を阻止するホルダー規制部と、を備え、前記主雌ねじ部に対して、雄ねじが螺合されたとき、前記主雌ねじ部に挿入される前記雄ねじにより、前記スライドホルダーが前記弾性体の弾性力に抗して後退することを特徴とする。 
【００１１】
好適には、前記アタッチメント部は、雄ねじが周囲に形成さて前記機器に前記本体をねじ込み固定可能としていることを特徴とする。 好適には、前記本体は、円柱形状にして外周面にローレットを備えることを特徴とする。 好適には、前記本体は、前方面の中央に前記ホルダーを、後方面の中央に前記ホルダー規制部を有し、前記ホルダーと前記ホルダー規制部との間に記スライドホルダーと前記弾性体とを夫々中心軸線を一致させて前記本体に収納していることを特徴とする。 好適には、前記ホルダーの前方面が前記本体の前方面と同一平面であることを特徴とする。  好適には、前記主雌ねじ部の前端開口面と、前記補完雌ねじ部の前端開口面と、が同一平面に位置して前記雄ねじの螺入により前記スライドホルダーが後退することを特徴とする。 
【００１３】
好適には、前記補完雌ねじ部よりもねじ径の小さな第二補完雌ねじ部を前記補完雌ねじ部内に配置するように前記スライドホルダーに組み込まれ、前記主雌ねじ部の軸方向に摺動可能とされる第二スライドホルダーと、前記第二スライドホルダーを前方に付勢する第二弾性体と、を備えることもある。
【００１４】
好適には、前記雄ねじが三脚等の固定台に取り付けられているねじとされる場合である。
【００１５】
好適には、前記機器が望遠鏡や双眼鏡、カメラなどの光学機器の場合である。
【発明の効果】
【００１６】
本発明によれば、異なるサイズの雄ねじを利用可能とし、機器に設けた雌ねじと他の機器や部材とを雄ねじにより簡単に結合させることができる多重雌ねじ構造の締結具を提供することができる。  そして、ホルダーを締結具の本体に組み込み、ねじ込み式アタッチメント部を介して当該締結具を装置や機器に組み込むようにしているため、装置や機器の台座へ直接にホルダーや弾性体を組み込む場合よりも多重雌ねじ構造の締結具の組み立てが容易となる。
【００１７】
また、本発明の締結具は、主雌ねじ部の前端開口面と、補完雌ねじ部の前端開口面と、が同一平面に位置していることにより、径サイズが異なる同一長さの規格化された雄ネジと螺合させることが容易且つ確実であり、弾性体の強度を調整することにより、主雌ねじ部への雄ねじの螺入にあたってねじ止めの位置合わせを容易にできる。
【００１８】
さらに、本発明の締結具は、弾性体は、ホルダー内に組み込まれてスライドホルダーを付勢していることにより、細径のねじをとめるときに雌ねじがホルダー内部に逃げてしまう等がなく、確実にねじ止めを実行できる。
【００１９】
そして、本発明の締結具は、異なるサイズの雄ねじとして、２種類に限定されず、３種類以上でも利用可能とすることにより、大型機器から小型機器まで対応可能として適用範囲を広げることができる。
【００２０】
また、本発明の締結具は、光学機器等の架台を三脚の雲台等に配置させるときに、三脚ねじ等の規格サイズである１／４インチ雄ねじや３／８インチ雄ねじを夫々に使用することができる。
【００２１】
さらに、本発明の締結具は、望遠鏡、双眼鏡やカメラ等の光学機器と三脚又は雲台等とを結合するにあたって、小型用から大型用までの様々な三脚や雲台に適用することができる。
【図面の簡単な説明】
【００２２】
【図１】本発明の実施形態に係る締結具による望遠鏡と三脚との結合に関する説明図である。
【図２】本発明の実施形態に係る締結具の光学機器等の架台取付け側から見た外観斜視図である。
【図３】本発明の実施形態に係る締結具の三脚取付け側から見た外観斜視図である。
【図４】本発明の実施形態に係る締結具の多重雌ねじ構造の分解斜視図である。
【図５】本発明の実施形態に係る締結具に三脚の１／４インチ雄ねじを取り付ける時の断面図である。
【図６】本発明の実施形態に係る締結具に三脚の１／４インチ雄ねじを取り付けた時の断面図である。
【図７】本発明の実施形態に係る締結具に三脚の３／８インチ雄ねじを取り付ける時の断面図である。
【図８】本発明の実施形態に係る締結具に三脚の３／８インチ雄ねじを取り付けた時の断面図である。
【発明を実施するための形態】
【００２３】
以下、本発明の実施形態を図面を用いて説明する。図１は、実施形態に係る締結具により機器である望遠鏡と他の機器としての三脚との結合に関する説明図である。図２は、本発明の実施形態に係る締結具10の光学機器200の架台201との取付け側から見た外観斜視図である。図３は、本発明の実施形態に係る締結具10の三脚100との取付け側から見た外観斜視図である。図４は、本発明の実施形態に係る締結具10の多重雌ねじ構造50の分解斜視図である。なお、締結具10は、図４に示すホルダー20側を前方とし、ホルダー規制部材40側を後方とする。
【００２４】
締結具10は、例えば、図１に示すように三脚100の三脚ねじ101である雄ねじと天体望遠鏡等の光学機器200の架台201とを結合させる締結具10として適用できる。
【００２５】
この三脚ねじ101である雄ネジは、径サイズ及び長さ等が一定の規格に定められており、また、雲台102から外れて紛失することが無いように雲台102に組み込まれるものがある。
【００２６】
そしてこの締結具10は、図２及び図３に示すように、本体15が金属製の略円柱形状をしており、円形の中央部分で本体15を挿通するように配置され、異なるサイズの雄ねじを取付けて利用可能とする多重雌ねじ構造50を備えている。
【００２７】
締結具10は、図２に示したように天体望遠鏡の架台201との取付側において、天体望遠鏡の鏡胴を上下、又は、水平動を可能としながら夫々にクランプ機構を有する架台201との接続部として、例えば、φ４０ｍｍのねじ込み式アタッチメント部18を形成している。
【００２８】
また、締結具10は、多重雌ねじ構造50の一部であるホルダー規制部材40を本体15にねじ込み式で結合するために、ホルダー規制部材40の表面にかに目凹部43を形成している。
【００２９】
多重雌ねじ構造50は、図４に示すように、本体15の中央部分を挿通するようにして、ホルダー20、スライドホルダー30、弾性体35、及び、ホルダー規制部材40を備えている。
【００３０】
ホルダー20は、金属製の中空円柱形状であって、図３及び図４に示したようにねじ穴22である中空の内壁面に三脚ねじ101として最大径をなす３／８インチ雄ねじを取り付け可能な主雌ねじ部21を有する。
【００３１】
また、ホルダー20は、図３及び図４に示したように外装部分にかに目凹部23を形成し、円柱の外周縁部分にねじ溝を形成することにより、かに目ねじとして、本体15の中央穴の内壁に形成されたホルダー装着部16に結合可能とされている。
【００３２】
スライドホルダー30は、金属製であって、スラスト方向の所定範囲で移動可能としながら、回転止めの機能を有する竹馬形状をしており、スライドホルダー前端がホルダー20のねじ穴22内部に配置されている。そして、スライドホルダー30は、前端内壁に補完雌ねじ部31、中央部分に小判型平板部32、後端に軸部33を形成している。
【００３３】
そして、主雌ねじ部21の前端開口面と、補完雌ねじ部31の前端開口面と、が同一平面に位置しており、主雌ねじ部21に対応する雄ねじの螺入によりスライドホルダー30が弾性体35の弾性力に抗して後退する。
【００３４】
補完雌ねじ部31は、中空円柱形状の内部に形成されており、主雌ねじ部21よりも細径で三脚ねじ101として１／４インチ雄ねじを取り付け可能とされる雌ねじである。
【００３５】
スライドホルダー30の小判型平板部32は、スライドホルダー30が軸方向であるスラスト方向に摺動可能とされており、スライド作動したときにホルダー規制部材40の回転止め係合部41と係合して、回転止めの機能を有するものである。
【００３６】
また、小判型平板部32は、スライドホルダー30がスラスト方向へ作動するにあたって、ねじ外方への作動をホルダー20の後端部により規制され、ねじ内方への作動をホルダー規制部材40により規制される働きを有する。
【００３７】
そして、スライドホルダー30の軸部33は、金属製の円柱形状であって、スライドホルダー30がスラスト方向に作動するときに、ホルダー規制部材40の孔部42を貫通するように作動するものである。
【００３８】
弾性体35は、スライドホルダー30の軸部33に巻きつくように配置される金属製のばね材であって、一方を小判型平板部32内面に支持され、他方をホルダー規制部材40内面に支持されて、スライドホルダー30を補完雌ねじ部31のねじ穴外方、つまり前方に付勢させるものである。
【００３９】
ホルダー規制部材40は、金属製であって、本体15と結合するため円柱部分の周縁に本体装着部44である雄ねじを形成するものであって、スライドホルダー30の作動方向をスラスト方向に規制しながら、スライドホルダー30を回転させないように規制するものである。また、ホルダー規制部材40は、ホルダー規制部材40の中心に対して対象となる位置に円柱部分から内方に突出するように円弧状の柱体を２個配置して形成した回転止め係合部41を有する。
【００４０】
また、ホルダー規制部材40は、円柱部分の中央に孔部42を設け、スライドホルダー30の軸部33を貫通させるものである。
【００４１】
次に、締結具10に１／４インチ雄ねじ又は３／８インチ雄ねじといった異なるサイズの三脚ねじ101の三脚100を結合させる構造について断面図を用いて説明する。
【００４２】
締結具10は、雄ねじを取り付けていないときは、図５に示すように、弾性体35によりスライドホルダー30の前端がホルダー20のねじ穴22開口近傍まで付勢された状態とされている。つまり、ホルダー20のねじ穴22開口近傍には、ホルダー20ねじ穴22内壁の最大径の主雌ねじ部21と、ホルダー20の主雌ねじ部21の内部で主雌ねじ部21よりも細径なスライドホルダー30の補完雌ねじ部31とが夫々に配置される。
【００４３】
そして、図５に示したように、三脚100の雲台102に設置された１／４インチ雄ねじの三脚ねじ101を締結具10のねじ穴22開口近傍に位置を合せて挿入し、三脚ねじ101を回転させることにより三脚ねじ101と締結具10とを結合させる。
【００４４】
締結具10は、三脚ねじ101が図６に示すように、ホルダー20のねじ穴22開口近傍に配置された１／４インチ雌ねじであるスライドホルダー30の補完雌ねじ部31に螺着させることとなる。そして、締結具10は、三脚ねじ101をねじ止めするにあたって、スライドホルダー30が内部の弾性体35によって、ねじ穴22開口近傍付勢されているとともに、内部の回転止めの機構により回転しないことから、確実にスライドホルダー30の補完雌ねじ部31に三脚ねじ101を螺着させることができるものである。
【００４５】
また、図７に示すように、三脚100の雲台102に設置された３／８インチ雄ねじの三脚ねじ101を締結具10のねじ穴22開口近傍に位置を合せて挿入し、三脚ねじ101を回転させることにより三脚ねじ101と締結具10とを結合させることも可能である。
【００４６】
つまり、締結具10は、３／８インチ雄ねじの三脚ねじ101を、ホルダー20ねじ穴22内壁の最大径の主雌ねじ部21に螺着させることとなる。締結具10は、三脚ねじ101をねじ止めしていくと、図８に示すように、スライドホルダー30が三脚ねじ101に押し込まれて、ねじ内方へ移動させることとなる。そして、三脚ねじ101は、ホルダー20の主雌ねじ部21へと螺着させることができるものである。
【００４７】
なお、実施形態として、２種類の雄ねじに対応する場合について説明してきたが、これに限定するものではない。例えば、スライドホルダー30の内部に、補完雌ねじ部31よりもねじ径の小さな第二補完雌ねじ部を補完雌ねじ部内に配置するようにスライドホルダー30に組み込み、主雌ねじ部21の軸方向に摺動可能とされる第二スライドホルダーと、第二スライドホルダーを前方に付勢する第二弾性体と、を備えるようにしても構わない。
【００４８】
また、第二スライドホルダー内に第三スライドホルダー、第四スライドホルダー等を設けて３種類以上の雌ねじを切り換えて用いる締結具10とすることにより、使用範囲を広げることもできる。
【００４９】
さらに、上記実施形態は、ホルダー20の前面とスライドホルダー30の前面とを同一面としているも、スライドホルダー30の前面をホルダー20の前面よりも僅かに後退させることもある。この場合、主雌ねじ部21に螺入する雄ねじの位置合わせを容易とすることができる。
【００５０】
なお、実施形態として、締結具10は、天体望遠鏡等の光学機器200の架台201と三脚100を結合可能するアダプターとしての締結具10について説明してきたが、例えば、光学機器200の一部の部品として組み込まれた多重雌ねじの締結具10としても構わない。
【００５２】
このように、ホルダー20を締結具の本体15に組み込み、ねじ込み式アタッチメント部18を介して当該締結具10を装置に組み込むようにすれば、装置の台座に直接ホルダー20や弾性体35を組み込む場合よりも多重雌ねじ構造50の締結具10の組み立てが容易となる。  
【００５３】
以上のように本実施形態によれば、異なるサイズの雄ねじを利用可能とし、機器に設けた雌ねじと他の機器や部材とを雄ねじにより簡単に結合させることができる多重雌ねじ構造50の締結具10を提供することができる。
【００５４】
なお、本実施形態は、締結具の本体15やホルダー20、スライドホルダー30、ホルダー規制部材40を金属製として説明したが、雌ねじ等を形成する材料は、適宜、セラミックスやエンジニアリングプラスチック等を用いることもできる。
【００５５】
また、本実施形態によれば、主雌ねじ部21の前端開口面と、補完雌ねじ部31の前端開口面と、が同一平面に位置していることにより、多重雌ねじ構造50を目立たせることなく、弾性体35の強度を調整することにより、主雌ねじ部21への雄ねじの螺入にあたってねじ止めの位置合わせを容易にできる。
【００５６】
さらに、本実施形態によれば、弾性体35は、ホルダー内に組み込まれてスライドホルダー30を付勢していることにより、細径のねじをとめるときに雌ねじがホルダー内部に逃げてしまう等がなく、確実にねじ止めを実行できる。
【００５７】
そして、本実施形態によれば、異なるサイズの雄ねじとして、２種類に限定されず、３種類以上でも利用可能とすることにより、大型機器から小型機器まで対応可能として適用範囲を広げることができる。
【００５８】
さらに、本実施形態によれば、光学機器200等の架台201を三脚100の雲台102に配置させるときに、三脚ねじ101の規格サイズである１／４インチ雄ねじや３／８インチ雄ねじの三脚ねじ101の三脚100を夫々に利用することができる。
【００５９】
なお、光学機器を固定するに部材は、雲台102に限ることなく、赤道義とする場合や三脚以外の固定台等の台座用部材とする場合がある。更に、結合用雄ねじを備える部材に限ることなく、結合用雄ねじを備える他の装置と、当該締結具を備える光学機器等の装置とを結合することもある。
【００６０】
また、本実施形態によれば、望遠鏡、双眼鏡やカメラ等の光学機器200と三脚100等とを結合するにあたって、小型用から大型用までの様々な三脚100等を使用することができる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【００６２】
１０    締結具
１５    本体                            １６    ホルダー装着部
１８    ねじ込み式アタッチメント部
２０    ホルダー                        ２１    主雌ねじ部
２２    ねじ穴                          ２３    かに目凹部
２４    本体装着部
３０    スライドホルダー                ３１    補完雌ねじ部
３２    小判型平板部                    ３３    軸部
３５    弾性体
４０    ホルダー規制部材                ４１    回転止め係合部
４２    孔部                            ４３    かに目凹部
４４    本体装着部
５０    多重雌ねじ構造
１００  三脚                            １０１  三脚ねじ
１０２  雲台
２００  光学機器                        ２０１  架台
【図１】
0005529243.tif 000002
【図２】
0005529243.tif 000003
【図３】
0005529243.tif 000004
【図４】
0005529243.tif 000005
【図５】
0005529243.tif 000006
【図６】
0005529243.tif 000007
【図７】
0005529243.tif 000008
【図８】
0005529243.tif 000009